(57)【要約】【課題】 外枠を交差させて積み重ねる場合に突出部が邪魔することなく、その結果多数段の外枠を水平又は所望の傾きをもって積み上げることができる遊技機用の枠体を提供するものである。【解決手段】 遊技機用の外枠１１の第１の側枠板１２の本体１２Ａの外側方には同本体１２Ａの上下方向に沿って幅補正部１２Ｂが形成されている。幅補正部１２Ｂには同外枠１１の前面よりも前方に突出する突出部１２Ｃが形成される。外枠１１の裏面側であって両側枠板１２,１３にはそれぞれ切り欠き溝２３,２４が形成される。このような外枠１１を前面を上方に向けて上下方向に交差状に積み重ねると上段側外枠１１の両切り欠き溝２３,２４内に下段側となる外枠１１の幅補正部１２Ｂの突出部１２Ｃが配置される。【選択図】　　　　図１
2004097845.tif 000002
【特許請求の範囲】
【請求項１】
左右の枠板と上下の枠板によって方形に構成し、左右いずれかの枠板は同枠板の外側方に同枠板の上下方向に沿って延びる第１の突出部を有し、同第１の突出部は同枠板の前面よりも前方に突出する第２の突出部を有するようにした弾球遊技機用の枠体において、同枠体の裏面側であって前記左右の枠板にはそれぞれ切り欠き部を形成し、複数の同枠体を前面を上方に向けて上下方向に交差状に積み重ねた場合に上段側の前記両切り欠き部内に下段側となる同枠体の前記第２の突出部が配置されるようにした弾球遊技機用の枠体。
【発明の詳細な説明】
【技術分野】
【０００１】
本発明は、パチンコ機、アレンジボール機等の弾球遊技機において遊技盤を装着するた
めの枠体に関するものである。
【背景技術】
【０００２】
　従来から関西方面で使用されているパチンコ機、アレンジボール機等の弾球遊技機の外形寸法は関東方面の外形寸法よりも大きい。そのため、関西方面で使用されている弾球遊技機の外枠は関東方面の外枠に比べ大きい。一般に関西方面で使用されている外枠を関西枠と呼称し、関東方面で使用されている外枠を関東枠と呼称している。
【０００３】
　関西、関東で異なる外枠サイズに応じて異なるサイズの前枠を装着するのは製造コストがかかる。そのため現在では同じサイズの前枠を装着することができる関東枠と関西枠がそれぞれの需要に応じて用いられている。
【０００４】
　図１５及び図１６は関西枠の外枠５１を使用したパチンコ機５２である。外枠５１には前枠５３が回動軸を中心に回動可能に装着されている。同図１５では前枠５３は閉じた状態にある。前枠５３には遊技盤（図示せず）、ガラス枠５４、上皿５５、下皿５６、ハンドル部５７等が装着されている。同パチンコ機５２の遊技方向からみて外枠５１の左側面には外枠５１と一体的に幅補正部５８が形成されている。幅補正部５８は関東枠に対して幅広とされている関西枠に形成されるものである。図１６で示すように、幅補正部５８は外枠５１の前面（これを第１の基準面ｐとする）から前方に突出する突出部５８ａを有している。この突出部５８ａの前端面ｑは前枠５３の前面（これを第２の基準面ｒとする）とほぼ面一とされている。すなわち、突出部５８ａの突出量（長さ）は前枠５３の厚みとほぼ同等である。また、この第２の基準面ｒはパチンコ機５２に隣接する島本体の柱５９の前面ｓとほぼ面一とされている。
【０００５】
ここで幅補正部５８に突出部５８ａがなく、図１７で示すように幅補正部５８の前端面ｑ´が第１の基準面ｐと面一であるとする。すると、前枠５３と島本体の柱５９の間には隙間Ｔができてしまう。この隙間Ｔは外見の見栄えの悪さに加え、ゲームに夢中な遊技者が球貸し機の硬貨挿入孔と誤って硬貨を挿入してしまう可能性があるものである。このような理由から関西枠サイズの外枠５１では隙間Ｔを埋めるために幅補正部５８に突出部５８ａが必要であった。
【発明の開示】
【発明が解決しようとする課題】
【０００６】
　ところで、弾球遊技機の外枠を製造する過程においては産業用ロボットによる加工工程を経る。ロボットによる作業上の要請から外枠を交差させ上下方向に積み重ねて配置する場合がある。この場合、図１８のように突出部５８ａを有する外枠５１では上段となる外枠５１の裏面側が下段となる外枠５１の突出部５８ａ上端に当接してしまうため水平に積むことができない。従って、外枠５１を多数段に積み重ねることができず作業性の悪化をもたらしていた。本発明は、このような従来の技術に存在する問題点に着目してなされたものである。その目的とするところは、外枠を交差させて積み重ねる場合に突出部が邪魔することなく、その結果多数段の外枠を水平又は所望の傾きをもって積み上げることができる遊技機用の枠体を提供することにある。
【課題を解決するための手段】
【０００７】
　上記の目的を達成するために、請求項１に記載の発明では、左右の枠板と上下の枠板に
よって方形に構成し、左右いずれかの枠板は同枠板の外側方に同枠板の上下方向に沿って延びる第１の突出部を有し、同第１の突出部は同枠板の前面よりも前方に突出する第２の突出部を有するようにした弾球遊技機用の枠体において、同枠体の裏面側であって前記左右の枠板にはそれぞれ切り欠き部を形成し、複数の同枠体を前面を上方に向けて上下方向に交差状に積み重ねた場合に上段側の前記両切り欠き部内に下段側となる同枠体の前記第２の突出部が配置されるようにしたことを要旨とする。これによって、第１の突出部を有する枠体、例えば関西枠サイズの外枠を交差させて前面を上方に向けて多数段に積み上げる場合には、第２の突出部の突出量に応じた切り欠き部の切り欠き深さにしておく。すると上段の枠体は下段の枠体の第１の突出部の第２の突出部が邪魔とならない。従って、上段の枠体の下段の枠体に対する所望の載置状態、例えば下段の枠体に対して上段の枠体の水平を保つことが可能となる。
【発明の効果】
【０００８】
　複数の同枠体を前面を上方に向けて上下方向に交差状に積み重ねた場合に下段側の第２の突出部は上段の枠体の切り欠き部内に配置される。その際に第２の突出部の突出量に応じた切り欠き部の切り欠き深さにしておけば、上段側の枠体を下段側の枠体上へ水平にあるいは水平以外の所望の傾きをもって載置する際にこの下段側の枠体の突出部が載置の邪魔をすることがない。
【発明を実施するための最良の形態】
【０００９】
　以下、本発明をパチンコ機用の外枠に具体化した実施の形態を図１〜図１４に基づいて説明する。
＜実施の形態１＞外枠１１は図１のΟ位置（以後このΟ位置方向を前方という）から見て左右一対の第１及び第２の側枠板１２,１３と、この両側枠板１２,１３の上下両端間を連結する上枠板１４と下枠板１５とにより長方形の骨格が構成される。第１の側枠板１２は本体１２Ａと幅補正部１２Ｂとにより構成されている。幅補正部１２Ｂは本体１２Ａの外側方であって同本体１２Ａの上下方向に沿って形成されている。幅補正部１２Ｂは同本体１２Ａに対して幅広、かつ薄肉とされている。幅補正部１２Ｂはその幅広の分だけ本体１２Ａに対して前方側に突出して突出部１２Ｃを形成している。本実施の形態１では突出部１２Ｃの突出量は１８ｍｍとされている。第２の側枠板１３は第１の側枠板１２の本体１２Ａと同じ長さ、同じ幅及び同じ厚さに形成されている。本実施の形態１における第２の側枠板１３及び第１の側枠板１２の本体１２Ａの長さは８２０ｍｍ、幅は７０ｍｍ、厚みは２０ｍｍとされている。上枠板１４と下枠板１５は同じ長さ及び同じ厚みに形成されている。但し、下枠板１５は上枠板１４よりも幅広に形成されている。下枠板１５はその幅広の分だけ上枠板１４に対して前方側に突出して下枠板突出部１５ａを形成している。本実施の形態１における上下枠板１４,１５の長さは５２５ｍｍ、厚みは１８ｍｍとされて
いる。また、上枠板１４の幅は７０ｍｍ、下枠板１５の幅は９０ｍｍとされている。
【００１０】
　下枠板突出部１５ａ上であって前記第１及び第２の側枠板１２,１３間の前面下部寄り
に前枠板１７が固着されている。前枠板１７は上枠板１４と下枠板１５と同じ長さとされている。本実施の形態１の前枠板１７は幅は６０ｍｍ、厚みは４０ｍｍとされている。各枠板１２,１３,１４,１５,１７は合板より構成されている。前枠板１７及び幅補正部１２Ｂの前面には化粧面１８が形成されている。
【００１１】
　上枠板１４の左端と第１の側枠板１２の上端の当接する角部の外側にはアングル状の第１の補強金具１９が固着されている。同補強金具１９には上枠板１４の前方側に延出する軸支片１９ａが形成されている。前枠板１７の左端と第１の側枠板１２の下端寄りが交差する角部内側にはアングル状の第２の補強金具２０が固着されている。同補強金具２０には前枠板１７の前方側に延出する軸支片２０ａが形成されている。軸支片１９ａ,２０ａ
は図示しない前枠を支持する。前記第１及び第２の側枠板１２,１３の対向する内壁面に
は凹部２２が形成されている。同凹部２２には図示しない機構部の一部が配置される。
【００１２】
　前記第１及び第２の側枠板１２,１３の裏面側のそれぞれ上方寄りには第１の切り欠き
溝２３が、また下方寄りには第２の切り欠き溝２４が形成されている。両切り欠き溝２３,２４は同第１及び第２の側枠板１２,１３の一部を長方形に切り欠いて形成される。両切り欠き溝２３,２４の溝幅（第１及び第２の側枠板１２,１３の長手方向長さ）は前記第１及び第２の側枠板１２,１３の板厚よりも狭く形成されている。本実施の形態１では溝幅
は１５ｍｍ、溝の深さは２０ｍｍとされている。本実施の形態１では第１の切り欠き溝２３は第１及び第２の側枠板１２,１３の上端から１７６ｍｍの位置が溝幅の中心とされる
。また、第２の切り欠き溝２４は第１及び第２の側枠板１２,１３の下端から１３５ｍｍ
の位置が溝幅の中心とされる。なお、両側枠板１２,１３の第１の切り欠き溝２３の中心
を結ぶ直線ｍ１と第２の切り欠き溝２４の中心を結ぶ直線ｍ２、及びこれら直線と上下枠板１４,１５とは平行関係にある。第１及び第２の溝２３,２４の中心間の間隔は５５０ｍｍとされている。
【００１３】
　このような外枠１１を幅補正部１２Ｂの突出部１２Ｃを上方にむけて上下方向に交差状に積み重ねる場合の作用について説明する。図３に示すように、まず水平面に配置した１段目の外枠１１の上に同１段目の外枠１１と直交するように２段目の外枠１１を載置する。次に、１段目の外枠１１と同じ向きで同１段目の外枠１１と重なるように２段目の外枠１１の上に３段目の外枠１１を載置する。以後交互にこの要領で積載していくものとして、奇数段側の外枠１１を下から順にＡ１,Ａ２,…とし、偶数段側の外枠１１を下から順にＢ１,Ｂ２,…とする。そして同図３に示すように、上枠板１４が図上上方に向いているＡ１,Ａ２,…の外枠１１の配置方向をＡ方向（第１の交差方向）とする。また、 上枠板１
４が図上左方に向いているＢ１,Ｂ２,…の外枠１１の配置方向をＢ方向（第２の交差方向）とする。
【００１４】
　今、Ａ１の上にＢ１を積んだとする（図４）。
　すなわち、Ｂ方向に外枠１１を配置する場合である。この時、図６（ａ）及び（ｂ）に示すように、Ｂ１の第１の切り欠き溝２３内にはＡ１の幅補正部１２Ｂの突出部１２Ｃが配置される。第１の切り欠き溝２３の深さは幅補正部１２Ｂの突出部１２Ｃの幅長（突出量）よりも深いため同突出部１２Ｃがこの第１の切り欠き溝２３の底面に当たることはない。一方、Ｂ１はその第１及び第２の側枠板１２,１３が直交するＡ１の第１及び第２の
側枠板１２,１３上に載架されて支持されることとなる。この時、Ｂ１の第１（及び第２
）の側枠板１２（,１３）がＡ１の第１の側枠板１２の後端面１２ａ（図６（ａ）及び（
ｂ）上では上端面）と当接面ｓ１において接している。この当接面ｓ１は第１の切り欠き溝２３の内側であって同第１の切り欠き溝２３に隣接した位置にある。また、Ｂ１の第１（及び第２）の側枠板１２（,１３）がＡ１の第２の側枠板１３の後端面１３ａ（図６（
ａ）及び（ｂ）上では上端面）と当接面ｓ２において接している。この当接面ｓ２は第２の切り欠き溝２４の外側であって同第２の切り欠き溝２４に隣接した位置にある。このような状態は結局、上段のＢ１は下段のＡ１上に同Ａ１の幅補正部１２Ｂの突出部１２Ｃがない場合と同じ条件で載置されるに等しい。すなわち、Ｂ１はＡ１上に同Ａ１に対して水平に載置されることとなる。
【００１５】
　ここで図８（ａ）〜（ｄ）に基づいてＢ１の第１及び第２の切り欠き溝２３,２４とＡ
１の幅補正部１２Ｂの突出部１２Ｃの関係をより詳しく説明する。突出部１２Ｃは第１の切り欠き溝２３内においてゆるやかに嵌合されており、図６（ａ）及び（ｂ）上で左右に移動可能とされる。従って、移動範囲内でＢ１がＡ１上から脱落しないことが好ましい。今、図８（ａ）のように第１の切り欠き溝２３内で突出部１２Ｃは最も左方に位置する。そして、図８（ｂ）では最も右方に位置する。このとき、図８（ｂ）の状態で第２の側枠板１３がもう少し図上左側によっているとする（つまり、第１及び第２の側枠板１２,１
３の間隔がもっと接近しているとする）。その状態で、突出部１２Ｃが左方に移動すると、第２の側枠板１３は当接面ｓ２から脱落してしまう。従って、このとき突出部１２Ｃの移動量θと突出部１２Ｃがもっとも右方に位置した状態での第２の側枠板１３の後端面１３ａと当接面ｓ２との交差量τはτ＞θの関係が成立する。第１及び第２の側枠板１２,
１３の間隔はこの関係を充足することが好ましい。本実施の形態１では両切り欠き溝２３,２４の溝幅よりも同第１及び第２の側枠板１２,１３の厚みの方が厚いため第１又は第２の側枠板１２,１３の溝内への脱落は生じないが、第１及び第２の側枠板１２,１３の厚みの方が薄い場合には上記関係を充足しないと脱落が生じる。
【００１６】
　また、本実施の形態１では図４、図６（ｂ）のように交差位置においてＢ１の第１の側枠板１２に凹部２２が形成されている。この場合にはこの凹部２２を考慮に入れる必要がある。図８（ｃ）に示すように第１の切り欠き溝２３内で突出部１２Ｃが最も左方に位置する場合に、第１の側枠板１２は当接面ｓ１から脱落してはいけない。すなわち、第１の側枠板１２から凹部２２を除いた面積χと突出部１２Ｃの移動量θとの間には
χ＞θ
の関係が成立する。第１の側枠板１２は上記τ＞θに加えてこの関係も充足する必要がある。
【００１７】
　次に、Ｂ１上にＡ２を積んだとする（図５）。すなわち、Ａ方向に外枠１１を配置する場合である。この時、図７（ａ）及び（ｂ）に示すように、Ａ２の第２の切り欠き溝２４内にはＢ１の幅補正部１２Ｂの突出部１２Ｃが配置されるように積む。第２の切り欠き溝２４の深さは幅補正部１２Ｂの突出部１２Ｃの幅長よりも深いため同突出部１２ＣがＡ２の第１及び第２の側枠板１２,１３に当たることはない。
【００１８】
　一方、 Ａ２はその第１及び第２の側枠板１２,１３が直交するＢ１の第１及び第２の側枠板１２,１３上に載架されて支持されることとなる。この時、Ａ２の第１（及び第２）
の側枠板１２（,１３）がＢ１の第１の側枠板１２の後端面１２ａ（図７（ａ）及び（ｂ
）上では上端面）と当接面ｔ１において接している。この当接面ｔ１は第２の切り欠き溝２４の内側であって同第２の切り欠き溝２４に隣接した位置にある。また、Ａ２の第１（及び第２）の側枠板１２（,１３）がＢ１の第２の側枠板１３の後端面１３ａ（図７（ａ
）及び（ｂ）上では上端面）と当接面ｔ２において接している。この当接面ｔ２は第１の切り欠き溝２３の外側であって同第１の切り欠き溝２３に隣接した位置にある。この状態は結局、上段のＡ２は下段のＢ１上に同Ｂ１の幅補正部１２Ｂの突出部１２Ｃがない場合と同じ条件で載置されるに等しい。すなわち、Ａ２はＢ１上に同Ｂ１に対して水平に載置されることとなる。なお、このＡ方向でも上記τ＞θの関係が成立することが好ましい。
【００１９】
　以後、Ａ２の上にＢ２を、Ｂ２の上にＡ３を、と言うようにＡ方向とＢ方向で外枠１１を交互に積載していく。Ａ方向に配置された外枠１１は常に第２の切り欠き溝２４がＢ方向に配置された外枠１１の幅補正部１２Ｂの突出部１２Ｃ位置に配置される。一方、Ｂ方向に配置された外枠１１は常に第１の切り欠き溝２３がＡ方向に配置された外枠１１の幅補正部１２Ｂの突出部１２Ｃ位置に配置される。これら、上下方向に積み重ねられた外枠１１はいずれも上段側の外枠１１が下段側の外枠１１の幅補正部１２Ｂの突出部１２Ｃに当接することがなく、幅補正部１２Ｂのない外枠（関東枠）と同様に水平を保つことが可能となる。
【００２０】
このように構成することにより本実施の形態１は次のような効果を奏する。
（１）突出部１２Ｃを有する幅補正部１２Ｂが固着された外枠１１（関西枠）を前面を上方に向けてＡ方向とＢ方向に直交させて積み上げる場合に、下段側外枠１１の幅補正部１２Ｂの突出部１２Ｃが積み上げの邪魔になることがない。そのため、多数段に積み上げても外枠１１の水平が保たれるため作業性がよくなる。
（２）外枠１１には第１及び第２の切り欠き溝２３,２４が形成されている。そして、下
段側外枠１１の幅補正部１２Ｂの突出部１２ＣはＡ方向で積み重ねた場合には上段側外枠１１の第２の切り欠き溝２４内に，Ｂ方向で積み重ねた場合には上段側外枠１１の第１の切り欠き溝２３内に配置されるようになっている。このように、第１及び第２の切り欠き溝２３,２４を形成したためＡＢ２方向の交互の積み重ねが可能となっている。
（３）外枠１１を積み重ねたときに下段側外枠１１の幅補正部１２Ｂが第１及び第２の側枠板１２,１３に当たることはない。つまり、第１及び第２の切り欠き溝２３,２４は完全に幅補正部１２Ｂの突出部１２Ｃをまたいでしまうからである。そのため、突出部１２Ｃ前端の化粧面１８が傷つくことがない。
（４）第１及び第２の切り欠き溝２３,２４の長さよりも第１及び第２の側枠板１２,１３の厚みのほうが厚いため同溝２３,２４に第１及び第２の側枠板１２,１３が嵌まりこんでしまうことがない。
（５）突出部１２Ｃを第１又は第２の切り欠き溝２３,２４内で移動させても第１及び第
２の側枠板１２,１３の間隔が調整してあるためこれら第１又は第２の側枠板１２,１３当接面ｓ１,ｓ２,ｔ１,ｔ２から脱落することがない。
【００２１】
　尚、この発明は、次のように変更して具体化することも可能である。
＜実施の形態２＞上記実施の形態１では幅補正部１２Ｂの突出部１２Ｃは上段側の外枠１１とは当接しないように構成していた。これを、図９（ａ）及び（ｂ）ならびに、図１０（ａ）及び（ｂ）に示すように第１の側枠板１２の幅を上記実施の形態１よりも短く構成し、上段側外枠１１の第１及び第２の側枠板１２,１３と当接しないようにし、突出部１
２Ｃ前端を第１及び第２の切り欠き溝２３,２４の底面に当接させるようにしてもよい。
本実施の形態２では他の構成については実施の形態１と同じである。但し、本実施の形態では突出部１２Ｃ前端に化粧面１８が形成されているため同化粧面１８が傷つくのを防止するため化粧面１８表面を保護シールでコーティングしておくのが好ましい。もちろんコーティングがなくともかまわない。このように構成することによって、上記実施の形態１の（１）（２）（４）及び（５）の基本的効果に加え、上段側の外枠１１の下段側の外枠１１に対する傾きを第１及び第２の切り欠き溝２３,２４の深さを調整する、あるいは幅
補正部１２Ｂの突出部１２Ｃの幅を調整することで簡単に変更することができる。
【００２２】
＜実施の形態３＞上記各実施の形態ではいずれも第１及び第２の切り欠き溝２３,２４を
形成するようにしていた。これはＡ方向とＢ方向の２方向にのみ配置するためであった。しかし、図１２に示すように第１の切り欠き溝２３だけを有する外枠１１であってもよい。第２の切り欠き溝２４がない点以外では実施の形態１と同様の構成である。このような外枠１１を水平に積載する場合には、図１１のようにＡ方向から時計回り方向にＢ方向、Ｃ方向、Ｄ方向の順に外枠１１を載置していくことで常に第１の切り欠き溝２３だけが下段側の外枠１１の幅補正部１２Ｂの突出部１２Ｃに配置されることとなる。このように構成することで、上記実施の形態と同様下段側外枠１１の幅補正部１２Ｂの突出部１２Ｃが積み上げの邪魔になることがなく多数段に積み上げても外枠１１の水平が保たれるため作業性がよくなる。また、複数個所に切り欠き部を形成せずにすむため、加工作業が簡略化される。
【００２３】
＜実施の形態４＞上記実施の形態１及び２では第１及び第２の切り欠き溝２３,２４を形
成するようにしていた。各々の溝２３,２４は別個独立に形成されていた。これを、図１
３に示すように両切り欠き溝２３,２４の長さが長くなって連結されたような連続的な１
つの溝２５を形成するようにしてもよい。本実施の形態４では図１４（ａ）及び（ｂ）に示すように第１の側枠板１２の幅を上記実施の形態２と同様短く構成し、突出部１２Ｃ前端を溝２５の底面に当接させて上段の外枠１１を支持するようにする。この場合、下段側外枠１１の第１及び第２の側枠板１２,１３間の長さＭよりも少なくとも上段側外枠１１
の溝２５の長さＮのほうが短いことが条件となる（本実施の形態４では溝２５の末端は下
段側外枠１１の第２の側枠板１３の中央付近に配置される）。この条件は上段側外枠１１の脱落を防止するためである。このように構成することによって、上記実施の形態１の（１）及び（２）の基本的効果、ならびに上記実施の形態２の効果に加え、外枠１１の軽量化を図ることができる。
【００２４】
　また、上記実施の形態１〜４の別例として次のように構成することも可能である。
・上記各実施の形態はすべて下段側の外枠１１に対して水平を出すように載置していたが水平以外に傾きをもって載置するようにしてもよい。
・上記各実施の形態はすべて上下の外枠１１は互いに直交するように配置されていたが、それ以外の角度で配置してもよい。
・ 上記各実施の形態では当接面ｓ２及びｔ２は第１又は第２の切り欠き溝２３,２４の外側に位置していたが内側に配置されてもかまわない。
・ 上記各実施の形態では関西枠サイズとするために第１の突出部として幅補正部１２Ｂ
を形成するようにしたが、側枠板とは別体で構成した幅補正部を第１の突出部として使用するようにしてもかまわない。そのような幅補正部１２Ｂを脱着可能とすることも自由である。
・ 上記各実施の形態では外枠１１に応用するようにしていたが、外枠以外の弾球遊技機
用の枠体に応用してもよい。また、パチンコ機以外の弾球遊技機の枠体に応用してもよい。その他、本発明の趣旨を逸脱しない態様で実施することは自由である。
【図面の簡単な説明】
【００２５】
【図１】本発明の実施の形態１の斜視図。
【図２】同じく背面側からの斜視図。
【図３】実施の形態１の外枠の載置手順を説明する平面図。
【図４】実施の形態１の外枠の載置の載置状態を説明する平面図。
【図５】実施の形態１の外枠の載置の載置状態を説明する平面図。
【図６】実施の形態１の説明であって、（ａ）は図４のＩ―Ｉ における断面図。（ｂ）は図４のＩＩ―ＩＩ における断面図。
【図７】実施の形態１の説明であって、（ａ）は図５のＩＩＩ―ＩＩＩ における断面図。（ｂ）は図５のＶＩ―ＶＩ における断面図。
【図８】実施の形態１の説明であって、（ａ）（ｂ）は図６（ａ）の一部省略拡大図。（ｃ）（ｄ）は図６（ｂ）の一部省略拡大図。
【図９】実施の形態２の説明であって、（ａ）は図４のＩ―Ｉ における断面図。（ｂ）は図４のＩＩ―ＩＩ における断面図。
【図１０】実施の形態２の説明であって、 （ａ）は図５のＩＩＩ―ＩＩＩ における断面図。（ｂ）は図５のＶＩ―ＶＩ における断面図。
【図１１】実施の形態３の外枠の載置手順を説明する平面図。
【図１２】実施の形態３の背面側からの斜視図。
【図１３】実施の形態４の背面側からの斜視図。
【図１４】実施の形態４の説明であって、（ａ）は図５のＩＩＩ―ＩＩＩにおける断面図。（ｂ）は図５のＶＩ―ＶＩ における断面図。
【図１５】従来のパチンコ器の斜視図。
【図１６】従来のパチンコ器を島に配置した状態の平面図。
【図１７】従来のパチンコ器の課題を指摘した平面図。
【図１８】従来の外枠を載置した場合の不具合を説明する部分側断面図。
【符号の説明】
【００２６】
１１…枠体としての外枠、１２,１３…第１及び第２の側枠板、１４,１５…上下枠板、１２Ｂ…第１の突出部としての幅補正部、１２Ｃ…第２の突出部としての突出部、２３,２
４、２５…切り欠き部。
【図１】
2004097845.tif 000003
【図２】
2004097845.tif 000004
【図３】
2004097845.tif 000005
【図４】
2004097845.tif 000006
【図５】
2004097845.tif 000007
【図６】
2004097845.tif 000008
【図７】
2004097845.tif 000009
【図８】
2004097845.tif 000010
【図９】
2004097845.tif 000011
【図１０】
2004097845.tif 000012
【図１１】
2004097845.tif 000013
【図１２】
2004097845.tif 000014
【図１３】
2004097845.tif 000015
【図１４】
2004097845.tif 000016
【図１５】
2004097845.tif 000017
【図１６】
2004097845.tif 000018
【図１７】
2004097845.tif 000019
【図１８】
2004097845.tif 000020
【手続補正書】
【提出日】平成15年12月26日(2003.12.26)
【手続補正１】
【補正対象書類名】特許請求の範囲
【補正対象項目名】全文
【補正方法】変更
【補正の内容】
【特許請求の範囲】
【請求項１】
左右の枠板と上下の枠板によって方形に構成し、左右いずれかの枠板は同枠板の外側方に同枠板の上下方向に沿って延びる第１の突出部を有し、同第１の突出部は同枠板の前面よりも前方に突出する第２の突出部を有するようにした弾球遊技機用の枠体であって、同枠体を前面を上方に向けて上下方向に交差状に積み重ねる際に各枠板の水平を維持するために左右の枠板の裏面側の上方寄り又は下方寄りのいずれか一方にそれぞれ切り欠き部を形成し、上段側の前記両切り欠き部内に下段側となる同枠体の前記第２の突出部が配置されるようにした弾球遊技機用の枠体。
【手続補正２】
【補正対象書類名】明細書
【補正対象項目名】全文
【補正方法】変更
【補正の内容】
【発明の詳細な説明】
【技術分野】
【０００１】
本発明は、パチンコ機、アレンジボール機等の弾球遊技機において遊技盤を装着するための枠体に関するものである。
【背景技術】
【０００２】
　従来から関西方面で使用されているパチンコ機、アレンジボール機等の弾球遊技機の外形寸法は関東方面の外形寸法よりも大きい。そのため、関西方面で使用されている弾球遊技機の外枠は関東方面の外枠に比べ大きい。一般に関西方面で使用されている外枠を関西枠と呼称し、関東方面で使用されている外枠を関東枠と呼称している。
【０００３】
　関西、関東で異なる外枠サイズに応じて異なるサイズの前枠を装着するのは製造コストがかかる。そのため現在では同じサイズの前枠を装着することができる関東枠と関西枠がそれぞれの需要に応じて用いられている。
【０００４】
　図１５及び図１６は関西枠の外枠５１を使用したパチンコ機５２である。外枠５１には前枠５３が回動軸を中心に回動可能に装着されている。同図１５では前枠５３は閉じた状態にある。前枠５３には遊技盤（図示せず）、ガラス枠５４、上皿５５、下皿５６、ハンドル部５７等が装着されている。同パチンコ機５２の遊技方向からみて外枠５１の左側面には外枠５１と一体的に幅補正部５８が形成されている。幅補正部５８は関東枠に対して幅広とされている関西枠に形成されるものである。図１６で示すように、幅補正部５８は外枠５１の前面（これを第１の基準面ｐとする）から前方に突出する突出部５８ａを有している。この突出部５８ａの前端面ｑは前枠５３の前面（これを第２の基準面ｒとする）とほぼ面一とされている。すなわち、突出部５８ａの突出量（長さ）は前枠５３の厚みとほぼ同等である。また、この第２の基準面ｒはパチンコ機５２に隣接する島本体の柱５９の前面ｓとほぼ面一とされている。
【０００５】
ここで幅補正部５８に突出部５８ａがなく、図１７で示すように幅補正部５８の前端面ｑ´が第１の基準面ｐと面一であるとする。すると、前枠５３と島本体の柱５９の間には隙間Ｔができてしまう。この隙間Ｔは外見の見栄えの悪さに加え、ゲームに夢中な遊技者が球貸し機の硬貨挿入孔と誤って硬貨を挿入してしまう可能性があるものである。このような理由から関西枠サイズの外枠５１では隙間Ｔを埋めるために幅補正部５８に突出部５８ａが必要であった。
【発明の開示】
【発明が解決しようとする課題】
【０００６】
　ところで、弾球遊技機の外枠を製造する過程においては産業用ロボットによる加工工程を経る。ロボットによる作業上の要請から外枠を交差させ上下方向に積み重ねて配置する場合がある。この場合、図１８のように突出部５８ａを有する外枠５１では上段となる外枠５１の裏面側が下段となる外枠５１の突出部５８ａ上端に当接してしまうため水平に積むことができない。従って、外枠５１を多数段に積み重ねることができず作業性の悪化をもたらしていた。本発明は、このような従来の技術に存在する問題点に着目してなされたものである。その目的とするところは、外枠を交差させて積み重ねる場合に突出部が邪魔することなく、その結果多数段の外枠を水平又は所望の傾きをもって積み上げることができる遊技機用の枠体を提供することにある。
【課題を解決するための手段】
【０００７】
　上記の目的を達成するために、請求項１に記載の発明では、左右の枠板と上下の枠板によって方形に構成し、左右いずれかの枠板は同枠板の外側方に同枠板の上下方向に沿って延びる第１の突出部を有し、同第１の突出部は同枠板の前面よりも前方に突出する第２の突出部を有するようにした弾球遊技機用の枠体であって、同枠体を前面を上方に向けて上下方向に交差状に積み重ねる際に各枠板の水平を維持するために左右の枠板の裏面側の上方寄り又は下方寄りのいずれか一方にそれぞれ切り欠き部を形成し、上段側の前記両切り欠き部内に下段側となる同枠体の前記第２の突出部が配置されるようにしたことを要旨とする。これによって、第１の突出部を有する枠体、例えば関西枠サイズの外枠を交差させて前面を上方に向けて多数段に積み上げる場合には、第２の突出部の突出量に応じた切り欠き部の切り欠き深さにしておく。すると上段の枠体は下段の枠体の第１の突出部の第２の突出部が邪魔とならない。従って、上段の枠体の下段の枠体に対する所望の載置状態、例えば下段の枠体に対して上段の枠体の水平を保つことが可能となる。
【発明の効果】
【０００８】
　複数の同枠体を前面を上方に向けて上下方向に交差状に積み重ねた場合に下段側の第２の突出部は上段の枠体の切り欠き部内に配置される。その際に第２の突出部の突出量に応じた切り欠き部の切り欠き深さにしておけば、上段側の枠体を下段側の枠体上へ水平にあるいは水平以外の所望の傾きをもって載置する際にこの下段側の枠体の突出部が載置の邪魔をすることがない。
【発明を実施するための最良の形態】
【０００９】
　以下、本発明をパチンコ機用の外枠に具体化した実施の形態を図１〜図１４に基づいて説明する。
＜実施の形態１＞外枠１１は図１のΟ位置（以後このΟ位置方向を前方という）から見て左右一対の第１及び第２の側枠板１２,１３と、この両側枠板１２,１３の上下両端間を連結する上枠板１４と下枠板１５とにより長方形の骨格が構成される。第１の側枠板１２は本体１２Ａと幅補正部１２Ｂとにより構成されている。幅補正部１２Ｂは本体１２Ａの外側方であって同本体１２Ａの上下方向に沿って形成されている。幅補正部１２Ｂは同本体１２Ａに対して幅広、かつ薄肉とされている。幅補正部１２Ｂはその幅広の分だけ本体１２Ａに対して前方側に突出して突出部１２Ｃを形成している。本実施の形態１では突出部１２Ｃの突出量は１８ｍｍとされている。第２の側枠板１３は第１の側枠板１２の本体１２Ａと同じ長さ、同じ幅及び同じ厚さに形成されている。本実施の形態１における第２の側枠板１３及び第１の側枠板１２の本体１２Ａの長さは８２０ｍｍ、幅は７０ｍｍ、厚みは２０ｍｍとされている。上枠板１４と下枠板１５は同じ長さ及び同じ厚みに形成されている。但し、下枠板１５は上枠板１４よりも幅広に形成されている。下枠板１５はその幅広の分だけ上枠板１４に対して前方側に突出して下枠板突出部１５ａを形成している。本実施の形態１における上下枠板１４,１５の長さは５２５ｍｍ、厚みは１８ｍｍとされている。また、上枠板１４の幅は７０ｍｍ、下枠板１５の幅は９０ｍｍとされている。
【００１０】
　下枠板突出部１５ａ上であって前記第１及び第２の側枠板１２,１３間の前面下部寄りに前枠板１７が固着されている。前枠板１７は上枠板１４と下枠板１５と同じ長さとされている。本実施の形態１の前枠板１７は幅は６０ｍｍ、厚みは４０ｍｍとされている。各枠板１２,１３,１４,１５,１７は合板より構成されている。前枠板１７及び幅補正部１２Ｂの前面には化粧面１８が形成されている。
【００１１】
　上枠板１４の左端と第１の側枠板１２の上端の当接する角部の外側にはアングル状の第１の補強金具１９が固着されている。同補強金具１９には上枠板１４の前方側に延出する軸支片１９ａが形成されている。前枠板１７の左端と第１の側枠板１２の下端寄りが交差する角部内側にはアングル状の第２の補強金具２０が固着されている。同補強金具２０には前枠板１７の前方側に延出する軸支片２０ａが形成されている。軸支片１９ａ,２０ａは図示しない前枠を支持する。前記第１及び第２の側枠板１２,１３の対向する内壁面には凹部２２が形成されている。同凹部２２には図示しない機構部の一部が配置される。
【００１２】
　前記第１及び第２の側枠板１２,１３の裏面側のそれぞれ上方寄りには第１の切り欠き溝２３が、また下方寄りには第２の切り欠き溝２４が形成されている。両切り欠き溝２３,２４は同第１及び第２の側枠板１２,１３の一部を長方形に切り欠いて形成される。両切り欠き溝２３,２４の溝幅（第１及び第２の側枠板１２,１３の長手方向長さ）は前記第１及び第２の側枠板１２,１３の板厚よりも狭く形成されている。本実施の形態１では溝幅は１５ｍｍ、溝の深さは２０ｍｍとされている。本実施の形態１では第１の切り欠き溝２３は第１及び第２の側枠板１２,１３の上端から１７６ｍｍの位置が溝幅の中心とされる。また、第２の切り欠き溝２４は第１及び第２の側枠板１２,１３の下端から１３５ｍｍの位置が溝幅の中心とされる。なお、両側枠板１２,１３の第１の切り欠き溝２３の中心を結ぶ直線ｍ１と第２の切り欠き溝２４の中心を結ぶ直線ｍ２、及びこれら直線と上下枠板１４,１５とは平行関係にある。第１及び第２の溝２３,２４の中心間の間隔は５５０ｍｍとされている。
【００１３】
　このような外枠１１を幅補正部１２Ｂの突出部１２Ｃを上方にむけて上下方向に交差状に積み重ねる場合の作用について説明する。図３に示すように、まず水平面に配置した１段目の外枠１１の上に同１段目の外枠１１と直交するように２段目の外枠１１を載置する。次に、１段目の外枠１１と同じ向きで同１段目の外枠１１と重なるように２段目の外枠１１の上に３段目の外枠１１を載置する。以後交互にこの要領で積載していくものとして、奇数段側の外枠１１を下から順にＡ１,Ａ２,…とし、偶数段側の外枠１１を下から順にＢ１,Ｂ２,…とする。そして同図３に示すように、上枠板１４が図上上方に向いているＡ１,Ａ２,…の外枠１１の配置方向をＡ方向（第１の交差方向）とする。また、 上枠板１４が図上左方に向いているＢ１,Ｂ２,…の外枠１１の配置方向をＢ方向（第２の交差方向）とする。
【００１４】
　今、Ａ１の上にＢ１を積んだとする（図４）。
　すなわち、Ｂ方向に外枠１１を配置する場合である。この時、図６（ａ）及び（ｂ）に示すように、Ｂ１の第１の切り欠き溝２３内にはＡ１の幅補正部１２Ｂの突出部１２Ｃが配置される。第１の切り欠き溝２３の深さは幅補正部１２Ｂの突出部１２Ｃの幅長（突出量）よりも深いため同突出部１２Ｃがこの第１の切り欠き溝２３の底面に当たることはない。一方、Ｂ１はその第１及び第２の側枠板１２,１３が直交するＡ１の第１及び第２の側枠板１２,１３上に載架されて支持されることとなる。この時、Ｂ１の第１（及び第２）の側枠板１２（,１３）がＡ１の第１の側枠板１２の後端面１２ａ（図６（ａ）及び（ｂ）上では上端面）と当接面ｓ１において接している。この当接面ｓ１は第１の切り欠き溝２３の内側であって同第１の切り欠き溝２３に隣接した位置にある。また、Ｂ１の第１（及び第２）の側枠板１２（,１３）がＡ１の第２の側枠板１３の後端面１３ａ（図６（ａ）及び（ｂ）上では上端面）と当接面ｓ２において接している。この当接面ｓ２は第２の切り欠き溝２４の外側であって同第２の切り欠き溝２４に隣接した位置にある。このような状態は結局、上段のＢ１は下段のＡ１上に同Ａ１の幅補正部１２Ｂの突出部１２Ｃがない場合と同じ条件で載置されるに等しい。すなわち、Ｂ１はＡ１上に同Ａ１に対して水平に載置されることとなる。
【００１５】
　ここで図８（ａ）〜（ｄ）に基づいてＢ１の第１及び第２の切り欠き溝２３,２４とＡ１の幅補正部１２Ｂの突出部１２Ｃの関係をより詳しく説明する。突出部１２Ｃは第１の切り欠き溝２３内においてゆるやかに嵌合されており、図６（ａ）及び（ｂ）上で左右に移動可能とされる。従って、移動範囲内でＢ１がＡ１上から脱落しないことが好ましい。今、図８（ａ）のように第１の切り欠き溝２３内で突出部１２Ｃは最も左方に位置する。そして、図８（ｂ）では最も右方に位置する。このとき、図８（ｂ）の状態で第２の側枠板１３がもう少し図上左側によっているとする（つまり、第１及び第２の側枠板１２,１３の間隔がもっと接近しているとする）。その状態で、突出部１２Ｃが左方に移動すると、第２の側枠板１３は当接面ｓ２から脱落してしまう。従って、このとき突出部１２Ｃの移動量θと突出部１２Ｃがもっとも右方に位置した状態での第２の側枠板１３の後端面１３ａと当接面ｓ２との交差量τはτ＞θの関係が成立する。第１及び第２の側枠板１２,１３の間隔はこの関係を充足することが好ましい。本実施の形態１では両切り欠き溝２３,２４の溝幅よりも同第１及び第２の側枠板１２,１３の厚みの方が厚いため第１又は第２の側枠板１２,１３の溝内への脱落は生じないが、第１及び第２の側枠板１２,１３の厚みの方が薄い場合には上記関係を充足しないと脱落が生じる。
【００１６】
　また、本実施の形態１では図４、図６（ｂ）のように交差位置においてＢ１の第１の側枠板１２に凹部２２が形成されている。この場合にはこの凹部２２を考慮に入れる必要がある。図８（ｃ）に示すように第１の切り欠き溝２３内で突出部１２Ｃが最も左方に位置する場合に、第１の側枠板１２は当接面ｓ１から脱落してはいけない。すなわち、第１の側枠板１２から凹部２２を除いた面積χと突出部１２Ｃの移動量θとの間には
χ＞θ
の関係が成立する。第１の側枠板１２は上記τ＞θに加えてこの関係も充足する必要がある。
【００１７】
　次に、Ｂ１上にＡ２を積んだとする（図５）。すなわち、Ａ方向に外枠１１を配置する場合である。この時、図７（ａ）及び（ｂ）に示すように、Ａ２の第２の切り欠き溝２４内にはＢ１の幅補正部１２Ｂの突出部１２Ｃが配置されるように積む。第２の切り欠き溝２４の深さは幅補正部１２Ｂの突出部１２Ｃの幅長よりも深いため同突出部１２ＣがＡ２の第１及び第２の側枠板１２,１３に当たることはない。
【００１８】
　一方、 Ａ２はその第１及び第２の側枠板１２,１３が直交するＢ１の第１及び第２の側枠板１２,１３上に載架されて支持されることとなる。この時、Ａ２の第１（及び第２）の側枠板１２（,１３）がＢ１の第１の側枠板１２の後端面１２ａ（図７（ａ）及び（ｂ）上では上端面）と当接面ｔ１において接している。この当接面ｔ１は第２の切り欠き溝２４の内側であって同第２の切り欠き溝２４に隣接した位置にある。また、Ａ２の第１（及び第２）の側枠板１２（,１３）がＢ１の第２の側枠板１３の後端面１３ａ（図７（ａ）及び（ｂ）上では上端面）と当接面ｔ２において接している。この当接面ｔ２は第１の切り欠き溝２３の外側であって同第１の切り欠き溝２３に隣接した位置にある。この状態は結局、上段のＡ２は下段のＢ１上に同Ｂ１の幅補正部１２Ｂの突出部１２Ｃがない場合と同じ条件で載置されるに等しい。すなわち、Ａ２はＢ１上に同Ｂ１に対して水平に載置されることとなる。なお、このＡ方向でも上記τ＞θの関係が成立することが好ましい。
【００１９】
　以後、Ａ２の上にＢ２を、Ｂ２の上にＡ３を、と言うようにＡ方向とＢ方向で外枠１１を交互に積載していく。Ａ方向に配置された外枠１１は常に第２の切り欠き溝２４がＢ方向に配置された外枠１１の幅補正部１２Ｂの突出部１２Ｃ位置に配置される。一方、Ｂ方向に配置された外枠１１は常に第１の切り欠き溝２３がＡ方向に配置された外枠１１の幅補正部１２Ｂの突出部１２Ｃ位置に配置される。これら、上下方向に積み重ねられた外枠１１はいずれも上段側の外枠１１が下段側の外枠１１の幅補正部１２Ｂの突出部１２Ｃに当接することがなく、幅補正部１２Ｂのない外枠（関東枠）と同様に水平を保つことが可能となる。
【００２０】
このように構成することにより本実施の形態１は次のような効果を奏する。
（１）突出部１２Ｃを有する幅補正部１２Ｂが固着された外枠１１（関西枠）を前面を上方に向けてＡ方向とＢ方向に直交させて積み上げる場合に、下段側外枠１１の幅補正部１２Ｂの突出部１２Ｃが積み上げの邪魔になることがない。そのため、多数段に積み上げても外枠１１の水平が保たれるため作業性がよくなる。
（２）外枠１１には第１及び第２の切り欠き溝２３,２４が形成されている。そして、下段側外枠１１の幅補正部１２Ｂの突出部１２ＣはＡ方向で積み重ねた場合には上段側外枠１１の第２の切り欠き溝２４内に，Ｂ方向で積み重ねた場合には上段側外枠１１の第１の切り欠き溝２３内に配置されるようになっている。このように、第１及び第２の切り欠き溝２３,２４を形成したためＡＢ２方向の交互の積み重ねが可能となっている。
（３）外枠１１を積み重ねたときに下段側外枠１１の幅補正部１２Ｂが第１及び第２の側枠板１２,１３に当たることはない。つまり、第１及び第２の切り欠き溝２３,２４は完全に幅補正部１２Ｂの突出部１２Ｃをまたいでしまうからである。そのため、突出部１２Ｃ前端の化粧面１８が傷つくことがない。
（４）第１及び第２の切り欠き溝２３,２４の長さよりも第１及び第２の側枠板１２,１３の厚みのほうが厚いため同溝２３,２４に第１及び第２の側枠板１２,１３が嵌まりこんでしまうことがない。
（５）突出部１２Ｃを第１又は第２の切り欠き溝２３,２４内で移動させても第１及び第２の側枠板１２,１３の間隔が調整してあるためこれら第１又は第２の側枠板１２,１３当接面ｓ１,ｓ２,ｔ１,ｔ２から脱落することがない。
【００２１】
　尚、この発明は、次のように変更して具体化することも可能である。
＜実施の形態２＞上記実施の形態１では幅補正部１２Ｂの突出部１２Ｃは上段側の外枠１１とは当接しないように構成していた。これを、図９（ａ）及び（ｂ）ならびに、図１０（ａ）及び（ｂ）に示すように第１の側枠板１２の幅を上記実施の形態１よりも短く構成し、上段側外枠１１の第１及び第２の側枠板１２,１３と当接しないようにし、突出部１２Ｃ前端を第１及び第２の切り欠き溝２３,２４の底面に当接させるようにしてもよい。本実施の形態２では他の構成については実施の形態１と同じである。但し、本実施の形態では突出部１２Ｃ前端に化粧面１８が形成されているため同化粧面１８が傷つくのを防止するため化粧面１８表面を保護シールでコーティングしておくのが好ましい。もちろんコーティングがなくともかまわない。このように構成することによって、上記実施の形態１の（１）（２）（４）及び（５）の基本的効果に加え、上段側の外枠１１の下段側の外枠１１に対する傾きを第１及び第２の切り欠き溝２３,２４の深さを調整する、あるいは幅補正部１２Ｂの突出部１２Ｃの幅を調整することで簡単に変更することができる。
【００２２】
＜実施の形態３＞上記各実施の形態ではいずれも第１及び第２の切り欠き溝２３,２４を形成するようにしていた。これはＡ方向とＢ方向の２方向にのみ配置するためであった。しかし、図１２に示すように第１の切り欠き溝２３だけを有する外枠１１であってもよい。第２の切り欠き溝２４がない点以外では実施の形態１と同様の構成である。このような外枠１１を水平に積載する場合には、図１１のようにＡ方向から時計回り方向にＢ方向、Ｃ方向、Ｄ方向の順に外枠１１を載置していくことで常に第１の切り欠き溝２３だけが下段側の外枠１１の幅補正部１２Ｂの突出部１２Ｃに配置されることとなる。このように構成することで、上記実施の形態と同様下段側外枠１１の幅補正部１２Ｂの突出部１２Ｃが積み上げの邪魔になることがなく多数段に積み上げても外枠１１の水平が保たれるため作業性がよくなる。また、複数個所に切り欠き部を形成せずにすむため、加工作業が簡略化される。
【００２３】
＜実施の形態４＞上記実施の形態１及び２では第１及び第２の切り欠き溝２３,２４を形成するようにしていた。各々の溝２３,２４は別個独立に形成されていた。これを、図１３に示すように両切り欠き溝２３,２４の長さが長くなって連結されたような連続的な１つの溝２５を形成するようにしてもよい。本実施の形態４では図１４（ａ）及び（ｂ）に示すように第１の側枠板１２の幅を上記実施の形態２と同様短く構成し、突出部１２Ｃ前端を溝２５の底面に当接させて上段の外枠１１を支持するようにする。この場合、下段側外枠１１の第１及び第２の側枠板１２,１３間の長さＭよりも少なくとも上段側外枠１１の溝２５の長さＮのほうが短いことが条件となる（本実施の形態４では溝２５の末端は下段側外枠１１の第２の側枠板１３の中央付近に配置される）。この条件は上段側外枠１１の脱落を防止するためである。このように構成することによって、上記実施の形態１の（１）及び（２）の基本的効果、ならびに上記実施の形態２の効果に加え、外枠１１の軽量化を図ることができる。
【００２４】
　また、上記実施の形態１〜４の別例として次のように構成することも可能である。
・上記各実施の形態はすべて下段側の外枠１１に対して水平を出すように載置していたが水平以外に傾きをもって載置するようにしてもよい。
・上記各実施の形態はすべて上下の外枠１１は互いに直交するように配置されていたが、それ以外の角度で配置してもよい。
・ 上記各実施の形態では当接面ｓ２及びｔ２は第１又は第２の切り欠き溝２３,２４の外側に位置していたが内側に配置されてもかまわない。
・ 上記各実施の形態では関西枠サイズとするために第１の突出部として幅補正部１２Ｂを形成するようにしたが、側枠板とは別体で構成した幅補正部を第１の突出部として使用するようにしてもかまわない。そのような幅補正部１２Ｂを脱着可能とすることも自由である。
・ 上記各実施の形態では外枠１１に応用するようにしていたが、外枠以外の弾球遊技機用の枠体に応用してもよい。また、パチンコ機以外の弾球遊技機の枠体に応用してもよい。その他、本発明の趣旨を逸脱しない態様で実施することは自由である。
【図面の簡単な説明】
【００２５】
【図１】本発明の実施の形態１の斜視図。
【図２】同じく背面側からの斜視図。
【図３】実施の形態１の外枠の載置手順を説明する平面図。
【図４】実施の形態１の外枠の載置の載置状態を説明する平面図。
【図５】実施の形態１の外枠の載置の載置状態を説明する平面図。
【図６】実施の形態１の説明であって、（ａ）は図４のＩ―Ｉ における断面図。（ｂ）は図４のＩＩ―ＩＩ における断面図。
【図７】実施の形態１の説明であって、（ａ）は図５のＩＩＩ―ＩＩＩ における断面図。（ｂ）は図５のＶＩ―ＶＩ における断面図。
【図８】実施の形態１の説明であって、（ａ）（ｂ）は図６（ａ）の一部省略拡大図。（ｃ）（ｄ）は図６（ｂ）の一部省略拡大図。
【図９】実施の形態２の説明であって、（ａ）は図４のＩ―Ｉ における断面図。（ｂ）は図４のＩＩ―ＩＩ における断面図。
【図１０】実施の形態２の説明であって、 （ａ）は図５のＩＩＩ―ＩＩＩ における断面図。（ｂ）は図５のＶＩ―ＶＩ における断面図。
【図１１】実施の形態３の外枠の載置手順を説明する平面図。
【図１２】実施の形態３の背面側からの斜視図。
【図１３】実施の形態４の背面側からの斜視図。
【図１４】実施の形態４の説明であって、（ａ）は図５のＩＩＩ―ＩＩＩにおける断面図。（ｂ）は図５のＶＩ―ＶＩ における断面図。
【図１５】従来のパチンコ器の斜視図。
【図１６】従来のパチンコ器を島に配置した状態の平面図。
【図１７】従来のパチンコ器の課題を指摘した平面図。
【図１８】従来の外枠を載置した場合の不具合を説明する部分側断面図。
【符号の説明】
【００２６】
１１…枠体としての外枠、１２,１３…第１及び第２の側枠板、１４,１５…上下枠板、１２Ｂ…第１の突出部としての幅補正部、１２Ｃ…第２の突出部としての突出部、２３,２４、２５…切り欠き部。